(57)【要約】【課題】  容器本体が袋部材と注出口部材とで構成される注出口付きの袋状容器について、袋部材と注出口部材とを綺麗な状態で強固に接着固定できるようにする。【解決手段】  袋部材２と注出口部材３とから容器本体が構成され、袋部材２との結合部分である注出口部材３の基部３ｂの側面に、横方向へ延びる複数本の突条３５が並列的に形成されている袋状容器１において、注出口部材３の基部３ｂの各突条３５の間に、該基部３ｂの壁を貫通して該基部３ｂの内部の注出通路にまで達する孔３６を形成する。【選択図】  図１
2005082193.tif 000002
【特許請求の範囲】
【請求項１】
袋部材と注出口部材とから容器本体が構成され、袋部材との結合部分である注出口部材の基部の側面に、横方向へ延びる複数本の突条が並列的に形成されている袋状容器において、注出口部材の基部の各突条の間に、該基部の壁を貫通して該基部の内部の注出通路にまで達する孔が形成されていることを特徴とする袋状容器。
【請求項２】
注出口部材の基部が横長で左右両端が扁平化されて薄くなっているのに対して、その左右両端の上側隅部が樹脂溜まりとして取り除かれていることを特徴とする請求項１に記載の袋状容器。
【発明の詳細な説明】
【技術分野】
【０００１】
本発明は、液状又はゼリー状の飲料等を内容物とする注出口付きの袋状容器に関し、特に、袋部材と注出口部材とから容器本体が構成されている袋状容器において、袋部材と注出口部材とが綺麗な状態で強固に接着固定されるようにした袋状容器に関する。
【背景技術】
【０００２】
キャップにより密閉される注出口を備えた袋状容器に内容物として液状又はゼリー状のスポーツドリンクやジュース等が充填された飲料商品が近年数多く販売されており、そのような飲料商品に使用される袋状容器では、キャップを除いた容器本体の部分が、フィルム状シートから製造される袋部材と、射出成形等で一体成形された樹脂製の注出口部材とで構成されている。そのような注出口付きの袋状容器について、容器本体を構成する袋部材と注出口部材の接着固定を強固にするために、袋部材との結合部分である注出口部材の横長な基部の両側面に、横方向へ延びる複数本の突条を形成しておくということが下記の特許文献１〜３により従来公知となっており、また、注出口部材の基部に袋部材をヒートシールで接着する際に、溶融した樹脂が袋部材と注出口部材の結合面からはみ出さないように、注出口部材の基部の左右両端の隅角部に、溶融した樹脂が流入する肉抜き部を形成しておくということが下記の特許文献４により従来公知となっている。
【特許文献１】特開平５−２２９５６６号公報
【特許文献２】特開平１０−１２９６８９号公報
【特許文献３】特開平１０−２１１９３０号公報
【特許文献４】特開平１１−２３６０６２号公報
【発明の開示】
【発明が解決しようとする課題】
【０００３】
ところで、上記のような従来公知の袋状容器では、注出口部材の基部に複数本の突条を形成しておくことにより、注出口部材の基部に袋部材をヒートシールで接着させる際に、該基部で突条の部分の樹脂が比較的低温で短時間に溶融して、その結果、強固な接着状態を得ることができるものの、その反面、各突条の間に溜まっていた空気が、ヒートシール金型が離れた瞬間に膨張して、この空気の圧力により袋部材のシール面に皺や弛みが生じることがあり、それが原因で漏れが発生したり見栄えを悪くしたりするという問題が起きることとなる。また、各突条の間に溜まっている空気が、袋部材の開口部と注出用部材の基部との間から抜けることで、この空気と一緒に溶融した樹脂が袋部材と注出口部材の結合面からはみ出してしまう虞もある。
【０００４】
本発明は、上記のような問題の解消を課題とするものであり、具体的には、容器本体が袋部材と注出口部材とで構成される注出口付きの袋状容器について、袋部材と注出口部材とを綺麗な状態で強固に接着固定できるようにすることを課題とするものである。
【課題を解決するための手段】
【０００５】
本発明は、上記のような課題を解決するために、袋部材と注出口部材とから容器本体が構成され、袋部材との結合部分である注出口部材の基部の側面に、横方向へ延びる複数本の突条が並列的に形成されている袋状容器において、注出口部材の基部の各突条の間に、該基部の壁を貫通して該基部の内部の注出通路にまで達する孔が形成されていることを特徴とするものである。
【発明の効果】
【０００６】
上記のような本発明の袋状容器によれば、注出口部材の基部で各突条の間に孔が形成されていることで、ヒートシール金型を押し付けたときに、各突条の間に溜まっていた空気はこの孔から排気されるため、袋部材のシール面に皺や弛みを発生させることがなく、注出口部材と袋部材は、皺や弛みのない綺麗な状態で強固に接着される。なお、注出口部材の基部が横長で左右両端が扁平化されて薄くなっているのに対して、その上側隅部を樹脂溜まりとして取り除いている場合には、該基部の左右両端の薄くなっている部分でヒートシール時に樹脂が溶融しても、それが樹脂溜まりの部分に溜められることで、袋部材と注出口部材の結合面からはみ出ることは無く、両者は樹脂のはみ出しがない綺麗な状態で接着される。
【発明を実施するための最良の形態】
【０００７】
袋状容器の本体を構成する袋部材と注出口部材を綺麗な状態で強固に接着固定するという目的を、最良の形態として以下の実施例に具体的に示すように、注出口部材の基部の各突条の間に、該基部の壁を貫通して該基部の内部の注出通路にまで達する孔を形成するということで実現した。
【実施例】
【０００８】
本実施例の袋状容器は、図１に示すように、キャップ（図示せず）を除く容器本体１が、内容物を収納するための袋部材２と、収納された内容物を注出するための注出口部材３とから構成されているものであって、注出口部材３は、キャップ（図示せず）が装着される口頸部３ａの下方に位置する基部３ｂの部分を、袋部材２の上端開口部の内側に挟んだ状態で、電熱による一般的なヒートシール法，超音波シール法，高周波シール法等の適宜のヒートシール法により加熱したヒートシール金型を両側から押し付けて袋部材２の上端開口部を密閉する際に、注出口部材３の基部３ｂの側面と袋部材２の上端開口部の内面をヒートシールにより接着固定することで、袋部材２と一体的に結合されている。
【０００９】
袋状容器１の袋部材２は、外層から順に、厚さ１５μｍのポリエステルフィルムと、厚さ１０μｍのアルミ箔と、厚さ１５μｍの延伸ナイロンフィルムと、厚さ８０μｍのポリエチレンフィルムとが積層された多層ラミネートシートを使用して所望の形状に製造されるものであるが、この袋部材２の材料については、前記のようなアルミ箔入りの多層ラミネートシートに代えて、シリカ若しくはアルミ蒸着ポリエステルフィルムを使用しても良い。
【００１０】
袋状容器１の注出口部材３は、ポリプロピレンやポリエチレン等のオレフィン樹脂を使用して射出成形法で一体的に成形されるものであり、本実施例では、図２および図３に示すような形状に一体成形されていて、袋部材２との結合部分となる注出口部材３の基部３ｂは、袋部材２の上端開口部の内側に挟まれ易いように、図４に示すように、その横断面形状の外形が、横長で左右両端が徐々に薄くなるように扁平化された舟形に形成されており、この基部３ｂの内部には、口頸部３ａの開口部から下方に延びる注出通路３０が形成されている。
【００１１】
そのような注出口部材３の基部３ｂの上方には、キャップ（図示せず）が装着される口頸部３ａが一体的に形成されており、内部が注出通路となっている略円筒状の口頸部３ａの外面には、キャップのネジ部と螺合するネジ部３１が形成され、その下方に、キャップのピルファープルーフバンドと係合するピルファープルーフ係合部（キャップを開封方向に回転させた時に係合してピルファープルーフバンドをキャップから切り離すための係合部）３２が形成され、更にその下方に、袋状容器１を搬送するときに使われる平面形状が略長方形の上側フランジ３３と下側フランジ３４がそれぞれ形成されている。
【００１２】
また、注出口部材３の基部３ｂの下方には、側面に一対の導入口３７ａが開口された導入筒部３７が一体的に形成され、また、導入筒部３７の下端には、下方に延びる一対のリブ３８が一体的に形成され、さらに、各リブ３８の下端同士を結合するように下端円板部３９が一体的に形成されていて、それら各リブ３８や下端円板部３９により、袋部材２の対向する側壁の内面同士が付着するのを防止して、注出口部材３の導入筒部３７への内容物の導入が阻害されないようにしている。
【００１３】
ところで、本実施例では、袋部材２との結合面となる注出口部材３の横長の基部３ｂの側面に、横方向へ延びる複数本（３条）の突条３５が並列的に形成されていると共に、それら各突条３５の間には、該基部３ｂの壁を貫通して該基部３ｂの内部の注出通路３０にまで達するように孔３６が穿たれている。なお、袋部材２が上記のような厚みと材質を備えたアルミ箔入りの多層ラミネートシートで製造されている場合には、注出口部材３の基部３ｂに形成する突条３５の数は２〜５条が好適で、突条３５の高さは０．１５ｍｍから０．７ｍｍ、突条３５の巾は０．８ｍｍから１．５ｍｍの間が好適である。
【００１４】
また、本実施例では、注出口部材３の横長な基部３ｂは、その左右両端が扁平化されて薄くなっていることで、横断面形状の外形が舟形となるように形成されているのに対して、この基部３ｂの舟形の船首と船尾にあたる左右両端の薄くなった部分で、その上側隅部を、下側フランジ３４の付け根の所から約３０°の俯角で取り除くことにより、袋部材２の上端開口部の対向する内面の間の空隙部を形成して、ヒートシール時に余分な溶融樹脂をはみ出させることなく吸収するための樹脂溜まり（溶融した樹脂が流入する部分）４０となるようにしている。
【００１５】
上記のように注出口部材３が形成されている本実施例の袋状容器１によれば、注出口部材３の基部３ｂにおいて、各突条３５の間に孔３６が形成されていることで、ヒートシール金型を押し付けたときに、各突条３５の間に溜まっていた空気は孔３６から注出通路３０を通って排気されるため、袋部材２のシール面に雛や弛みが発生することがなく、その結果、注出口部材３の基部３ｂと袋部材２の上端開口部を、雛や弛みの無い綺麗な状態で強固に接着させることができる。
【００１６】
また、注出口部材３の基部３ｂの左右両端の薄くなった部分で、その上側隅部を取り除いて樹脂溜まり４０を形成していることから、ヒートシール金型を押し付けたときに、基部３ｂの左右両端の薄くなっている部分が溶融しても、溶融した樹脂は樹脂溜まり４０の部分に流入して溜まるため、袋部材２と注出口部材３の結合面から樹脂がはみ出すことは無く、その結果、注出口部材３の基部３ｂと袋部材２の上端開口部を、樹脂のはみ出しが無い綺麗な状態で接着させることができる。
【００１７】
以上、本発明の袋状容器の一実施例について説明したが、本発明は、上記のような実施例に限定されるものではなく、例えば、注出口部材３については、場合によっては基部３ｂより下方の部分を省略しても良く、また、注出口部材３の基部３ｂについては、図５に示すように、基部３ｂの内部における注出通路３０の横断面形状や孔３６の数や位置等など適宜に変更可能であり、さらに、袋部材２の上端開口部に対する注出口部材３の取り付け状態については、袋部材２の上端開口部の片側隅部に注出口部材３を斜めにした状態で接着固定するようにしても良い等、適宜に設計変更可能なものであることは言うまでもない。
【図面の簡単な説明】
【００１８】
【図１】本発明の袋状容器の一実施例を示す部分切り欠き斜視図。
【図２】図１に示した袋状容器の注出口部材を示す正面図。
【図３】図２に示した注出口部材の側方から見た状態を示す側面図。
【図４】図２に示した注出口部材のＡ−Ａ線に沿った断面下面図。
【図５】本発明の他の実施例における注出口部材の図４に相当する断面下面図。
【符号の説明】
【００１９】
１        袋状容器（容器本体）
２        袋部材
３        注出口部材
３ａ      （注出口部材の）口頸部
３ｂ      （注出口部材の）基部
３１      ネジ部
３２      ピルファープルーフ係合部
３３      上側フランジ
３４      下側フランジ
３５      突条
３６      孔
３７      導入筒部
３８      リブ
３９      下端円板部
４０      樹脂溜まり
【図１】
2005082193.tif 000003
【図２】
2005082193.tif 000004
【図３】
2005082193.tif 000005
【図４】
2005082193.tif 000006
【図５】
2005082193.tif 000007